(57)【要約】【課題】帳票を処理する時間を短縮する。【解決手段】帳票処理システム１は、帳票の画像データを読取るスキャナＰＣ２と、読取った画像データに基づいて口座識別情報を入力するエントリＰＣ６と、口座識別情報に関連付けて登録印鑑イメージデータを記憶するとともに、エントリＰＣ６で入力された口座識別情報に基づいて記憶している登録印鑑イメージデータを抽出する印鑑サーバ５と、帳票の画像データから抽出した押印印鑑イメージデータと、印鑑サーバ５で抽出された登録印鑑イメージデータとを重ね合わせて表示し、押印印鑑イメージデータと登録印鑑イメージデータとの照合結果の入力を受け付けるエントリＰＣ６とを備え、エントリＰＣ６で押印印鑑イメージデータと登録印鑑イメージデータとの印鑑が同一である旨の入力を受け付けたとき、入力された口座識別情報が正しいものとする。【選択図】        図１
2014106782.tif 000002
【特許請求の範囲】
【請求項１】
予め登録された印鑑が押印された帳票の処理を行う帳票処理システムにおいて、
帳票の画像データを取得する帳票取得手段と、
前記帳票取得手段で取得した画像データに基づいて口座識別情報を入力する入力手段と、
前記口座識別情報に関連付けて登録印鑑イメージデータを記憶している登録印鑑記憶手段と、
前記入力手段で入力された前記口座識別情報に基づいて前記登録印鑑記憶手段から前記登録印鑑イメージデータを取得する登録印鑑取得手段と、
前記帳票の画像データから抽出した押印印鑑イメージデータと、前記登録印鑑取得手段で取得された登録印鑑イメージデータとを表示し、前記押印印鑑イメージデータと前記登録印鑑イメージデータとの照合結果の入力を受け付ける印鑑照合手段とを備え、
前記印鑑照合手段で前記押印印鑑イメージデータと前記登録印鑑イメージデータとの印鑑が同一である旨の入力を受け付けたとき、前記入力手段で入力された前記口座識別情報が正しいものとすることを特徴とする帳票処理システム。
【請求項２】
請求項１に記載の帳票処理システムにおいて、
前記印鑑照合手段で前記押印印鑑イメージデータと前記登録印鑑イメージデータとの印鑑が同一でない旨の入力を受け付けたとき、前記入力手段で前記口座識別情報を入力することを特徴とする帳票処理システム。
【請求項３】
請求項１または請求項２に記載の帳票処理システムにおいて、
前記口座識別情報は、店番、科目および口座番号であることを特徴とする帳票処理システム。
【請求項４】
請求項１、請求項２または請求項３に記載の帳票処理システムにおいて、
前記帳票読取手段をスキャナ端末に備え、
前記入力手段および前記印鑑照合手段をエントリ端末に備え、
前記登録印鑑記憶手段および前記登録印鑑取得手段を印鑑サーバに備え、
前記スキャナ端末と、前記エントリ端末と、前記印鑑サーバとが通信回線で通信可能に接続されていることを特徴とする帳票処理システム。
【請求項５】
予め登録された印鑑が押印された帳票の処理を行う帳票処理システムにおいて、
帳票の画像データを取得する帳票画像取得手段と、
前記口座識別情報に関連付けて登録印鑑イメージデータを記憶している登録印鑑記憶手段から、前記帳票画像取得手段で取得した画像データに基づいて入力された前記口座識別情報に基づいて前記登録印鑑記憶手段から前記登録印鑑イメージデータを取得する登録印鑑取得手段と、
前記帳票の画像データから抽出した押印印鑑イメージデータと、前記登録印鑑取得手段で取得された登録印鑑イメージデータとを表示し、前記押印印鑑イメージデータと前記登録印鑑イメージデータとの照合結果の入力を受け付ける印鑑照合手段とを備え、
前記印鑑照合手段で前記押印印鑑イメージデータと前記登録印鑑イメージデータとの印鑑が同一である旨の入力を受け付けたとき、前記入力された口座識別情報が正しいものとすることを特徴とする帳票処理システム。
【発明の詳細な説明】
【技術分野】
【０００１】
本発明は、口座振替依頼書の処理を行う帳票処理システムに関する。
【背景技術】
【０００２】
従来の帳票処理システムは、振込処理を行うためにエントリ処理およびエントリ処理で入力されたデータを確認するベリファイ処理を行うクライアント端末と、印鑑の登録や照会を行う印鑑サーバとを備えたものがあり（例えば、特許文献１参照）、例えば帳票としての口座振替依頼書の項目別のイメージデータに基づいてコードデータを入力するイメージエントリ処理を行った後、項目別のイメージデータと入力されたコードデータとを照合するベリファイ処理および帳票上の印鑑イメージデータと印鑑データベースに登録された印鑑イメージデータとを比較照合する印鑑照合処理を行って帳票の処理を行うようにしている。
【先行技術文献】
【特許文献】
【０００３】
【特許文献１】特開２００４−１０２３８９号公報（段落「０００２」、段落「０００３」、図２）
【発明の概要】
【発明が解決しようとする課題】
【０００４】
しかしながら、上述した従来の技術においては、すべての帳票としての口座振替依頼書に対してイメージエントリ処理、ベリファイ処理および印鑑照合処理を行うようにしているため、口座振替依頼書を処理するために多大な時間を要するという問題がある。
本発明は、このような問題を解決することを課題とし、帳票を処理する時間を短縮することを目的とする。
【課題を解決するための手段】
【０００５】
そのため、本発明は、予め登録された印鑑が押印された帳票の処理を行う帳票処理システムにおいて、帳票の画像データを取得する帳票取得手段と、前記帳票取得手段で取得した画像データに基づいて口座識別情報を入力する入力手段と、前記口座識別情報に関連付けて登録印鑑イメージデータを記憶している登録印鑑記憶手段と、前記入力手段で入力された前記口座識別情報に基づいて前記登録印鑑記憶手段から前記登録印鑑イメージデータを取得する登録印鑑取得手段と、前記帳票の画像データから抽出した押印印鑑イメージデータと、前記登録印鑑取得手段で取得された登録印鑑イメージデータとを表示し、前記押印印鑑イメージデータと前記登録印鑑イメージデータとの照合結果の入力を受け付ける印鑑照合手段とを備え、前記印鑑照合手段で前記押印印鑑イメージデータと前記登録印鑑イメージデータとの印鑑が同一である旨の入力を受け付けたとき、前記入力手段で入力された前記口座識別情報が正しいものとすることを特徴とする。
【発明の効果】
【０００６】
このようにした本発明は、帳票を処理する時間を短縮することができるという効果が得られる。
【図面の簡単な説明】
【０００７】
【図１】実施例における口座振替依頼書集中処理システムの構成を示す説明図
【図２】実施例における口座振替依頼書の登録処理の流れを示すフローチャート
【図３】実施例におけるエントリ画面の説明図
【図４】実施例における印鑑照合画面の説明図
【図５】実施例における印鑑照合結果入力画面の説明図
【発明を実施するための形態】
【０００８】
以下、図面を参照して本発明による帳票処理システムの実施例を説明する。
【実施例１】
【０００９】
図１は実施例における口座振替依頼書集中処理システムの構成を示す説明図である。
図１において、１は予め登録された印鑑が押印された帳票の登録処理を行う帳票処理システムとしての口座振替依頼書集中処理システムであり、営業店に設置されたスキャナ端末としてのスキャナＰＣ（Ｐｅｒｓｏｎａｌ  Ｃｏｍｐｕｔｅｒ）２と、集中センタに設置された口座振替サーバ４、印鑑サーバ５、エントリ端末としてのエントリＰＣ６とから構成されている。
【００１０】
２は銀行等の金融機関の営業店に設置されるスキャナＰＣであり、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段としての制御部、磁気ディスク、半導体メモリ等の記憶手段、帳票の画像データを光学的に読取るスキャナ等の帳票読取手段、キーボード、マウス、タッチパネル等の入力手段、液晶ディスプレイ等の表示手段、カレンダ・時計等の計時手段および通信手段等を備えるパーソナルコンピュータ等である。
このスキャナＰＣ２は、帳票の画像データを取得する帳票取得手段であり、スキャナで読取った口座振替依頼書等の帳票のイメージデータである画像データを生成する。またスキャナＰＣ２は通信回線としてのネットワーク３に接続され、他の通信機器と相互に通信可能に接続されている。
【００１１】
４は集中センタに設置されたサーバコンピュータとしての口座振替サーバであり、ＣＰＵ、ＭＰＵ等の演算および制御手段、磁気ディスク、半導体メモリ等の記憶手段、キーボード、マウス等の入力手段、液晶ディスプレイ等の表示手段、カレンダ・時計等の計時手段および通信手段等を備えるものである。
この口座振替サーバ４は通信回線としての構内回線１０に接続された後述するエントリＰＣ等と相互に通信可能に接続され、また、構内回線１０およびネットワーク３を介してスキャナＰＣ２と相互に通信可能に接続されている。スキャナＰＣ２で処理された帳票の画像データが、営業店のスキャナＰＣ２から送信され、口座振替サーバ４の記憶手段に記憶される。
【００１２】
５は集中センタに設置されたサーバコンピュータとしての印鑑サーバであり、ＣＰＵ、ＭＰＵ等の演算および制御手段、磁気ディスク、半導体メモリ等の記憶手段、キーボード、マウス等の入力手段、液晶ディスプレイ等の表示手段、カレンダ・時計等の計時手段および通信手段等を備え、記憶手段は顧客の口座毎に登録された印鑑イメージデータ（以下、「登録印鑑イメージデータ」という。）を記憶するものである。この記憶手段は、顧客の口座識別情報に関連付けて登録印鑑イメージデータを予め記憶している登録印鑑記憶手段である。
本実施例では、登録印鑑イメージデータは、口座識別情報としての店番、科目、および口座番号に関連付けられて記憶手段に記憶されているものとする。
【００１３】
また、印鑑サーバ５は、口座識別情報に基づいて登録印鑑記憶手段から登録印鑑イメージデータを取得する登録印鑑取得手段であり、構内回線１０に接続された後述するエントリＰＣ等と相互に通信可能に接続され、エントリＰＣから店番、科目、および口座番号を受信し、その店番、科目、および口座番号に基づいて記憶手段から取得した登録印鑑イメージデータと、エントリＰＣから受信した印鑑イメージデータ（以下、「押印印鑑イメージデータ」という。）とを重ね合わせて照合印鑑イメージデータを生成し、その照合印鑑イメージデータをエントリＰＣへ送信する。
【００１４】
６はエントリＰＣであり、集中センタに配置されたＣＰＵ、ＭＰＵ等の演算および制御手段、磁気ディスク、半導体メモリ等の記憶手段、キーボード、マウス、タッチパネル等の入力手段、液晶ディスプレイ等の表示手段、カレンダ・時計等の計時手段および通信手段等を備えるパーソナルコンピュータ等である。
【００１５】
エントリＰＣ６は、スキャナＰＣ２で読取った画像データに基づいて口座識別情報を入力する入力手段であり、口座振替サーバ４に格納された帳票の画像データを口座振替サーバ４から受信して表示手段に表示し、オペレータ（係員）が文字や数字等をキーボードやマウス等により入力して依頼人口座の店番、科目、および口座番号を含む口座振替データを作成するものである。なお、本実施例では、依頼人口座の店番、科目、および口座番号はエントリＰＣ６のキーボード等で入力されるものとして説明するが、エントリＰＣ６や図示しない文字認識サーバ等が帳票の画像データに基づいて文字認識処理（ＯＣＲ処理）を行い生成するようにしてもよい。さらに、帳票の画像データに基づく文字認識処理をスキャナＰＣ２で行うようにしてもよい。
【００１６】
また、エントリＰＣ６は、印鑑照合手段としてスキャナＰＣ２で読取った帳票の画像データから抽出した押印印鑑イメージデータと、印鑑サーバ５で取得された登録印鑑イメージデータとを重ね合わせた照合印鑑イメージデータを表示し、押印印鑑イメージデータと登録印鑑イメージデータとの照合結果の入力を受け付ける。
さらに、エントリＰＣ６は、口座振替サーバ４から受信した帳票の画像データおよび別のオペレータが作成した口座振替データを表示手段により表示し、オペレータがキーボード等により口座振替データに含まれる依頼人口座の店番、科目、および口座番号の確認を行い、訂正や再入力等のベリファイ処理を行なうことができるようにもなっている。
【００１７】
このエントリＰＣ６により作成・承認された口座振替データは、口座振替サーバ４の記憶手段に一旦記憶された後、構内回線１０を介して後述するホストコンピュータへ送信される。
ここで、ホストコンピュータへ送信される口座振替データは、例えば依頼人口座の店番、科目、および口座番号を含み、依頼日、発信日、依頼人の電話番号、金額、受取人名および依頼人名等で構成され、ホストコンピュータに口座振替取引を依頼するデータである。
【００１８】
１１は銀行等の金融機関の事務センタ等に設置された上位装置としてのホストコンピュータであり、集中センタの構内回線１０に接続された通信ゲートウェイ等を介して受信した口座振替データにしたがって受取人が所有する口座に指定した金額を振り込む口座振替処理を行うものである。また、ホストコンピュータ１１は集中センタの通信ゲートウェイ等と専用回線で相互に通信可能に接続されている。
このように口座振替依頼書集中処理システム１は、営業店に設置されたスキャナＰＣ２と、集中センタに設置された口座振替サーバ４、印鑑サーバ５、エントリＰＣ６とから構成され、読取った帳票の画像データから生成した口座振替データに基づいて口座振替取引を行う。
【００１９】
なお、営業店に設置されたスキャナＰＣ２、集中センタに設置された口座振替サーバ４、印鑑サーバ５、エントリＰＣ６は、演算および制御手段としての制御部により記憶手段に記憶された制御プログラム（ソフトウェア）に基づいて全体の動作が制御される。
また、本実施例では、口座振替サーバ４、印鑑サーバ５、エントリＰＣ６を集中センタに、ホストコンピュータ１１を事務センタ等に設置したものとして説明するが、それに限られることなく、口座振替サーバ４、印鑑サーバ５、エントリＰＣ６、ならびにホストコンピュータ１１の設置場所は任意である。
【００２０】
上述した構成の作用について説明する。
口座振替依頼書集中処理システムが行う口座振替依頼書の登録処理を図２の実施例における口座振替依頼書の登録処理の流れを示すフローチャートの図中Ｓで表すステップにしたがって図１を参照しながら説明する。
Ｓ１：スキャナＰＣ２は、操作者の操作により、口座振替依頼書をスキャナで読取り、読み取った口座振替依頼書の画像データを集中センタの口座振替サーバ４へ送信する。
集中センタの口座振替サーバ４は、受信した口座振替依頼書の画像データをエントリＰＣ６へ送信する。
【００２１】
口座振替依頼書の画像データを受信したエントリＰＣ６は、表示部に口座振替依頼書の画像データをエントリ画面として表示するとともに、操作者の操作により、そのエントリ画面で口座振替依頼書に記載された店番、委託者コード、区分、科目、口座番号等の各種項目のデータ入力を受付けて口座振替データを生成するエントリ処理を行う。
エントリＰＣ６が表示部に表示するエントリ画面は、例えば図３に示すエントリ画面３０であり、口座振替依頼書の画像データ３１と、店番を入力するための店番入力領域３２と、委託者コードを入力するための委託者コード入力領域３３と、区分を入力するための区分入力領域３４と、科目を入力するための科目入力領域３５と、口座番号を入力するための口座番号入力領域３６とにより構成されている。
【００２２】
Ｓ２：口座振替依頼書の各種項目のデータ入力の受付けを完了したエントリＰＣ６は、入力された店番、科目、および口座番号並びに口座振替依頼書の画像データから切り出した押印印鑑イメージデータを含み、印鑑照合処理を要求する情報を印鑑サーバ５へ送信する。
印鑑照合処理を要求する情報を受信した印鑑サーバ５は、受信した店番、科目、および口座番号に基づいて記憶手段を検索して登録印鑑イメージデータを取得し、取得した登録印鑑イメージデータと、エントリＰＣ６から受信した押印印鑑イメージデータとを重ね合わせた照合印鑑イメージデータとをエントリＰＣ６へ送信する。
【００２３】
エントリＰＣ６は、印鑑サーバ５から受信した登録印鑑イメージデータと、照合印鑑イメージデータとを印鑑照合画面とし、その印鑑照合画面とともに印鑑照合結果入力画面を表示部に表示する。ここで、エントリＰＣ６を操作する操作者の目視確認により、表示部に表示された照合印鑑イメージデータに基づいて印鑑照合の成否が判断される。
エントリＰＣ６が表示部に表示する印鑑照合画面は、例えば図４に示す印鑑照合画面４０であり、印鑑サーバ５から受信した登録印鑑イメージデータを表示する届出印表示領域４１と、印鑑サーバ５から受信した照合印鑑イメージデータを表示する照合結果表示領域４３と、押印印鑑イメージデータを表示する依頼書印表示領域４２とにより構成されている。
【００２４】
また、エントリＰＣ６が表示部に表示する印鑑照合結果入力画面は、例えば図５に示す印鑑照合結果登録画面５０であり、操作者による印鑑照合の結果、登録印鑑イメージデータと押印印鑑イメージデータとの印鑑が一致する（同一である）と判断されたときに選択されるＯＫボタン５１と、一致しない（不一致である）と判断されたときに選択されるＮＧボタン５２とにより構成されている。
【００２５】
Ｓ３：印鑑照合画面および印鑑照合結果入力画面を表示したエントリＰＣ６は、操作者により印鑑照合の結果入力を受け付け、図５に示すＯＫボタン５１が選択されると生成した口座振替データを口座振替サーバ４に蓄積して口座振替依頼書の登録処理を終了し、図５に示すＮＧボタン５２が選択されると処理をＳ１へ移行し、エントリ処理へ戻る。
口座振替サーバ４に蓄積された口座振替データはホストコンピュータ１１へ送信され、ホストコンピュータ１１は受信した口座振替データに基づいて口座振替取引を行う。
【００２６】
なお、図５に示すＮＧボタン５２が選択された場合、エントリＰＣ６で口座振替サーバ４から受信した帳票の画像データおよびエントリＰＣ６でオペレータが作成した口座振替データを表示手段により表示して、別のオペレータが入力手段により店番、科目、および口座番号等を確認し訂正や再入力等を行なうベリファイ処理を行い、処理をＳ２へ移行するようにしてもよい。
【００２７】
本実施例では、クライアントＰＣ６が、操作者による印鑑照合の結果、登録印鑑イメージデータと押印印鑑イメージデータとが一致する旨の操作を受け付けたとき、別のオペレータが入力手段により口座振替データを確認し訂正や再入力等を行なうベリファイ処理を行うことなく、口座振替依頼書の登録処理を終了する。
これは、印鑑照合の結果、登録印鑑イメージデータと押印印鑑イメージデータとが一致すると判断される場合、ベリファイ処理を行った場合と同等の堅確性を保てることからベリファイ処理を省略することができるためである。
【００２８】
すなわち、印鑑照合を行うために取得する登録印鑑のイメージデータは、店番、科目、および口座番号によって取得される。店番、科目、および口座番号が誤っている場合、正しい登録印鑑のイメージデータを取得することができない。また、照合対象の押印印鑑イメージデータは当該口座に対応する登録印鑑と同じ印鑑が押印されていることが前提である。したがって、登録印鑑イメージデータと押印印鑑イメージデータとが一致する場合、登録印鑑のイメージデータの取得に用いた店番、科目、および口座番号も正しいと考えられるので、店番、科目、および口座番号に関するベリファイ等の確認処理を省略することが可能になる。
【００２９】
このように、口座振替依頼書集中処理システム１のクライアントＰＣ６において、口座振替依頼書に基づいて入力された口座識別情報としての店番、科目、および口座番号に基づいて印鑑サーバ５から取得された登録印鑑イメージデータと、口座振替依頼書に押印された押印印鑑イメージデータとを照合した結果、登録印鑑イメージデータと押印印鑑イメージデータとが一致すると判断される場合、口座識別情報が正しいものとし、口座識別情報の確認処理としてのベリファイ処理を行うことなく、口座振替依頼書の登録処理を完了するようにしたことにより、口座振替依頼書を処理する時間を短縮することができる。
【００３０】
以上説明したように、本実施例では、口座振替依頼書集中処理システムにおいて、登録印鑑イメージデータと押印印鑑イメージデータとが一致すると判断される場合、口座識別情報のベリファイ処理を行うことなく、口座振替依頼書の登録処理を完了するようにしたことにより、口座振替依頼書を処理する時間を短縮することができるという効果が得られる。
【００３１】
なお、本実施例では、帳票を口座振替依頼書として説明したが、それに限られることなく、振込依頼書等としても良い。その場合、店番、科目、および口座番号についてはベリファイ処理（あるいは他の確認処理）を省略し、それ以外の項目についてはベリファイ処理（あるいは他の確認処理）を行わせるようにすれば良い。
なお、登録印鑑取得手段は印鑑サーバ５に設ける旨を記載したが、印鑑データベース等にアクセスする機能としてエントリＰＣ６に設けるようにしても良い。
【符号の説明】
【００３２】
１    口座振替依頼書集中処理システム
２    スキャナＰＣ
３    ネットワーク
４    口座振替サーバ
５    印鑑サーバ
６  エントリＰＣ
１０  構内回線
１１  ホストコンピュータ
【図１】
2014106782.tif 000003
【図２】
2014106782.tif 000004
【図３】
2014106782.tif 000005
【図４】
2014106782.tif 000006
【図５】
2014106782.tif 000007